(57)【特許請求の範囲】
【請求項１】
カーテンの上縁部に沿って横方向に相互間隔をおいて取付けられ、カーテンレールのランナに係止可能な弾性合成樹脂製の複数の吊り具と、
これらの吊り具の少なくとも１つの下方に位置して、前記カーテンに上下方向に列をなして取付けられる複数の挿通リングと、
前記少なくとも１つの吊り具に上端部が係止され、吊り具から下方へ伸びて中間が前記複数の挿通リングに挿通され、他端が前記カーテンの下縁部に係止される紐体と、
この紐体における前記吊り具との係止位置と前記カーテンとの係止位置との距離を変更してカーテンの下縁部の上下位置を調整するために、紐体に装着される昇降ストッパとを具備するカーテン吊り装置において、
前記吊り具が、前記紐体の上端部を係止するためのリング状の係止部を具備し、
前記紐体の上端が、前記吊り具のリング状の係止部に係合するフック部を備えた係止部材を介して吊り具に係止され、
前記昇降ストッパが、前記紐体における前記係止部材より下方位置において、紐体を折り返すように装着され、この折り返し長さを変更してカーテンの下縁部の上下位置を調整するようにしたことを特徴とするカーテン吊り装置。
【請求項２】
前記係止部材は、弾性合成樹脂で一体に構成され、前記紐体に固定される挟持部と、前記吊り具の結合部へ掛け止めるためのフック部とを備え、前記挟持部は、互いにヒンジ部を介して連続し、ヒンジ部で折り重ねて互いに係合することによって両者間に前記紐体を挟持する一対の挟持片を具備することを特徴とする請求項１に記載のカーテン吊り装置。
【請求項３】
前記吊り具は、前記カーテンに係止される本体と、ランナの吊り環へ掛け止め可能なフック体とから成り、このフック体が、前記リング状の係止部を備えていることを特徴とする請求項１に記載のカーテン吊り装置。
【請求項４】
前記吊り具は、前記カーテンに係止される本体と、ランナの吊り環へ掛け止め可能なフック体とから成り、前記本体が、前記リング状の係止部を備えていることを特徴とする請求項１に記載のカーテン吊り装置。
【発明の詳細な説明】
【０００１】
【発明の属する技術分野】
この発明は、カーテンをレールに沿って左右に移動させることにより開閉操作できると共に、吊り具から下方へ伸ばして下端をカーテンの下縁に係止した紐体の長さを変更することにより、所要位置でカーテンを昇降操作できるようにしたカーテン吊り装置に関する。
【０００２】
【従来の技術】
従来、ローマンシェードと称されるカーテン吊り装置が知られている。このカーテン吊り装置においては、カーテンを吊るレールに、カーテン昇降用の紐体を操作する機構部が組み込まれている。紐体は、一端がカーテンの下端に係止され、カーテンに沿って上方へ伸び、さらに機構部を介してレールに沿ってカーテンの左右方向一端側へ伸び、別の機構部を介して下方へ垂下している。この垂下した紐体の他端部を引くことによりカーテンを引き上げ、所要位置で止めることができる。
【０００３】
【発明が解決しようとする課題】
上記従来のカーテン吊り装置におけるレールは、機構部を備えた特殊なものであって、カーテンを左右に移動させる単純なレールに比べるとはるかに高価である。またこのカーテン吊り装置では、カーテンを左右に移動させる操作を行うことができない。
従って、この発明は、従来の安価な通常のカーテンレールに適用して、カーテンを左右に移動させることができると共に、カーテンを所要位置で昇降操作できるようにしたカーテン吊り装置を提供することを課題としている。
【０００４】
【課題を解決するための手段】
本発明においては、上記課題を解決するため、カーテン２１の上縁部に沿って横方向に相互間隔をおいて取付けられる弾性合成樹脂製の複数の吊り具３と、吊り具３の下方に位置して、カーテン２１に上下方向に列をなして取り付けられる複数の挿通リング１０と、吊り具３に上端部が係止され、下方へ伸びて中間が挿通リング１０に挿通され、下端がカーテン２１の下縁部に係止される紐体６と、この紐体６に装着される昇降ストッパ８とを具備させてカーテン吊り装置１を構成する。昇降ストッパ８によって、紐体６における吊り具３との係止位置とカーテン２１との係止位置との距離を変更してカーテン２１の下縁部の上下位置を調整する。吊り具３はカーテンレールのランナに係止されるから、カーテンをレールに沿って左右方向にも移動させることができる。
【０００５】
【発明の実施の形態】
図面を参照して本発明の実施の形態を説明する。図１は本発明に係るカーテン吊り装置の正面図、図２はカーテン吊り装置の一部の斜視図、図３はカーテン吊り装置の一部の正面図、図４は図３におけるIV−IV断面図、図５は係止部材の正面図、図６は係止部材の斜視図、図７は他の実施形態のカーテン吊り装置の一部の側面図、図８は他の実施形態のカーテン吊り具の側面図である。
【０００６】
図１乃至図３において、カーテン吊り装置１は、カーテン２１の上縁部に沿って横方向に縫い付けられる長尺のテープ２と、このテープ２に横方向に相互間隔をおいて取付けられる弾性合成樹脂製の複数の吊り具３とを具備する。吊り具３の下方に位置して、カーテン２１に上下方向に列をなして複数の挿通リング１０が取り付けられる。吊り具３には、紐体６の上端部が係止される。紐体６は、吊り具３から下方へ伸びて、中間が挿通リング１０に挿通され、下端がカーテン２１の下縁部に係止される。紐体６には、カーテン２１の引き上げ高さを調整するための昇降ストッパ８が装着される。
【０００７】
図２乃至図４に示すように、吊り具３は、本体４と、この本体４にラチェット式に移動自在に結合されるフック体５とから成る。フック体５は、図示しないランナの吊り環へ掛け止められる、フック体５は、本体４にラチェット式に係合するラチェット係合部５ａと、ラチェット係合部５ａの前方上縁から立ち上がるフック５ｂと、ラチェット係合部５ａの前面下部に突設されたリング状の係止部５ｃとを具備する。係止部５ｃには、紐体６の係止部材７が係止される。係止部５ｃは、その作用のために他の形態を採用しうることが容易に理解される。また、係止部５ｃは、本体４又はフック体５の何れかの部位に設けられる。図７には、本体４に係止部４ｄを設けた例が示されている。図示しないが、吊り具３は、本体４とフック体５とが一体に構成されるものであってよいし、カーテン２１への装着構造の異なるものであってもよい。
【０００８】
図４に示すように、吊り具本体４は、縦方向に伸びる主杆４ａと、テープ２の重合片２ｂの下縁からテープ基体２ａとの間へ挿入するための下部挿入杆４ｂと、重合片２ｂの上縁からテープ基体２ａとの間へ挿入するための上部挿入杆４ｃとを具備する。
【０００９】
図１乃至図４において、紐体６の上端には、係止部材７が固着される。係止部材７のフック部７ｂが、吊り具３のリング状の係止部５ｃに係合する。昇降ストッパ８が、紐体６に装着される。昇降ストッパ８は、挿通孔８ｃに挿通された紐体６を本体８ａと挟持体８ｂとの間でばね力により挟んで紐体６に固定するもので、挟持体８ｂをばね力に抗して本体８ａに押し込むことによって紐体６に対する固定を解き、所望の固定位置を選択できるようになっている。紐体６は、上部の折り返し部６ａが挿通孔８ｃに挿通され、リング９で抜け止めされている。図１に示すように、昇降ストッパ８から突出した紐体６の折り返し部６ａの長さを変更してカーテン２１の下縁部の上下位置を調整する。
【００１０】
図７の実施形態では、係止部材７を用いず、紐体６の上端部６ｂを直接吊り具３のリング状の係止部５ｃに通し、さらにこれを昇降ストッパ８の挿通孔８ｃに通して抜け止めしてある。
【００１１】
係止部材７は、弾性合成樹脂で一体に構成され、紐体６に固定される挟持部７ａと、吊り具３の係止部５ｃへ掛け止めるためのフック部７ｂとを備える。挟持部７ａは、互いにヒンジ部７ｃを介して連続する一対の挟持片７ｄ，７ｅを具備する。挟持片７ｄ，７ｅは、ヒンジ部７ｃで折り重ねてスナップ係合することによって、両者間に紐体６を挟持する。フック部７ｂは、挟持片７ｅ上に形成される。挟持片７ｅには、紐体６を通す溝７ｆが形成され、他方の挟持片７ｄには、溝７ｆを通る紐体６を押さえるための押圧突片７ｇが形成される。７ｈはスナップ係合爪である。
【００１２】
吊り具３はカーテンレールのランナにかけられるから、カーテン２１をレールに沿って左右方向にも移動させることができる。なお、必要に応じて、カーテン２１の左右端の吊り具３をレール両端の固定リングに吊り止めることにより、カーテン２１を紐体６でつり上げたときにカーテンの左右両端が中央に引き寄せられるのを阻止することができる。
【００１３】
【発明の効果】
以上のように、本発明においては、カーテン２１の上縁部に沿って横方向に相互間隔をおいて取付けられる弾性合成樹脂製の複数の吊り具３と、吊り具３の下方に位置して、カーテン２１に上下方向に列をなして取り付けられる複数の挿通リング１０と、吊り具３に上端部が係止され、下方へ伸びて中間が挿通リング１０に挿通され、他端がカーテン２１の下縁部に係止される紐体６と、この紐体６に装着される昇降ストッパ８とを具備させてカーテン吊り装置１を構成したから、昇降ストッパ８によって、紐体６の吊り長さを変更してカーテン２１の下縁部の上下位置を調整することができ、また吊り具３がカーテンレールのランナに係止されるから、カーテンをレールに沿って左右方向にも移動させることができる。従って、通常の横引き開閉型のカーテンとローマンシェードの機能を兼備した安価なカーテン吊り装置を提供することができる。
【図面の簡単な説明】
【図１】本発明に係るカーテン吊り装置の正面図である。
【図２】カーテン吊り装置の一部の斜視図である。
【図３】カーテン吊り装置の一部の正面図である。
【図４】図３におけるIV−IV断面図である。
【図５】係止部材の正面図である。
【図６】係止部材の斜視図である。
【図７】他の実施形態のカーテン吊り装置の一部の側面図である。
【図８】他の実施形態のカーテン吊り具の側面図である。
【符号の説明】
１    カーテン吊り装置
２    テープ
２ａ  テープ基体
２ｂ  重合片
３    カーテン吊り具
４    本体
４ａ  主杆
４ｂ  下部挿入杆
４ｃ  上部挿入杆
４ｄ  係止部
５    フック体
５ａ  係合部
５ｂ  フック
５ｃ  係止部
６    紐体
７    係止部材
７ａ  挟持部
７ｂ  係合部
７ｃ  ヒンジ部
７ｄ  挟持片
７ｅ  挟持片
７ｆ  溝
７ｇ  押圧突片
７ｈ  スナップ係合爪
８    昇降ストッパ
８ａ  本体
８ｂ  挟持体
８ｃ  挿通孔
９    リング
１０  挿通リング
２１  カーテン
【図１】
0003865378.tif 000002
【図２】
0003865378.tif 000003
【図３】
0003865378.tif 000004
【図４】
0003865378.tif 000005
【図５】
0003865378.tif 000006
【図６】
0003865378.tif 000007
【図７】
0003865378.tif 000008
【図８】
0003865378.tif 000009